(57)【要約】【課題】  再生信号波形に符号間干渉が生じても、円滑かつ適正に同期信号を検出できるようにする。【解決手段】  ゼロレベルとは異なる信号レベルにて信号波形をスライスしたときの信号幅Ｌをデータスライス部１１と信号幅検出部１２にて取得する。取得した信号幅Ｌのうち最大幅期間内において最大となる信号幅ＭＡＸ＿Ｌ１（＋側）、ＭＡＸ＿Ｌ２（−側）を最大幅検出部１３、１７にて取得し、さらに、信号幅ＭＡＸ＿Ｌ１、ＭＡＸ＿Ｌ２のうち基準同期信号幅設定期間内において最大となる信号幅を同期信号幅設定部１４、１７にて基準同期信号幅Ｗ＿Ｔｈ１、Ｗ＿Ｔｈ２として設定する。同期信号検出部１９は、最大幅検出部１３、１６から入力される最大信号幅ＭＡＸ＿Ｌ１、ＭＡＸ＿Ｌ２と基準同期信号幅Ｗ＿Ｔｈ１、Ｗ＿Ｔｈ２の差がマージンα、βの範囲内にある場合、その最大信号幅ＭＡＸ＿Ｌ１、ＭＡＸ＿Ｌ２に対応する信号期間を同期信号期間として検出する。【選択図】    図６
2006252640.tif 000002
【特許請求の範囲】
【請求項１】
ゼロレベルとは異なる正および負の信号レベルにて信号波形をスライスしたときの信号幅Ｌを検出する信号幅検出部と、
前記信号幅検出部にて検出される信号幅Ｌのうち期間Ｔ１内において正側および負側にて最大となる信号幅Ｌをそれぞれ正側の基準同期信号幅Ｗ＿Ｔｈ１および負側の基準同期信号Ｗ＿Ｔｈ２として設定する同期信号幅設定部と、
前記信号幅検出部にて検出された正側および負側の信号幅Ｌと前記同期信号幅設定部にて設定された正側の基準同期信号幅Ｗ＿Ｔｈ１および負側の基準同期信号Ｗ＿Ｔｈ２をそれぞれ大小比較し、前記基準同期信号幅Ｗ＿Ｔｈ１またはＷ＿Ｔｈ２に整合する信号幅Ｌの期間を同期信号期間として検出する同期信号検出部とを有する、
ことを特徴とする同期信号検出回路。
【請求項２】
請求項１において、
前記同期信号幅設定部は、前記同期信号検出部における同期検出に並行して期間Ｔ１を設定し、この期間Ｔ１内において最大となる信号幅Ｌを基準同期信号幅Ｗとして更新設定する、
ことを特徴とする同期信号検出回路。
【請求項３】
請求項１または２において、
前記同期信号検出部は、前記信号幅検出部にて検出される信号幅Ｌのうち期間Ｔ２内において正側および負側にて最大となる信号幅Ｌをそれぞれ当該期間Ｔ２における最大信号幅ＭＡＸ＿Ｌ１およびＭＡＸ＿Ｌ２として検出し、この最大信号幅ＭＡＸ＿Ｌ１が基準同期信号幅Ｗ＿Ｔｈ１に整合し、あるいは、ＭＡＸ＿Ｌ２がＷ＿Ｔｈ２に整合するとき、そのときの最大信号幅ＭＡＸ＿Ｌ１またはＭＡＸ＿Ｌ２に対応する期間を同期信号期間として検出する、
ことを特徴とする同期信号検出回路。
【請求項４】
請求項１ないし３の何れかにおいて、
前記同期信号検出部は、基準同期信号幅Ｗ＿Ｔｈ１の変動許容値αをもとに前記正側の信号幅Ｌまたは最大信号幅ＭＡＸ＿Ｌ１がＷ＿Ｔｈ１−αからＷ＿Ｔｈ１＋αの範囲内にあるかを判別し、且つ、基準同期信号幅Ｗ＿Ｔｈ２の変動許容値βをもとに前記負側の信号幅Ｌまたは最大信号幅ＭＡＸ＿Ｌ２がＷ＿Ｔｈ２−βからＷ＿Ｔｈ２＋βの範囲内にあるかを判別し、何れかの範囲内にあるときに、前記正側または負側の信号幅Ｌあるいは最大信号幅ＭＡＸ＿Ｌ１またはＭＡＸ＿Ｌ２が前記同期信号幅Ｗ＿Ｔｈ１あるいはＷ＿Ｔｈ２に整合するとして、そのときの前記信号幅Ｌまたは最大信号幅ＭＡＸ＿Ｌ、ＭＡＸ＿Ｌ２に対応する期間を同期信号期間として検出する、
ことを特徴する同期信号検出回路。
【請求項５】
請求項４において、
前記同期信号幅Ｗ＿Ｔｈ１の大きさに応じて前記変動許容値αを設定するα設定部と、前記同期信号幅Ｗ＿Ｔｈ２の大きさに応じて前記変動許容値βを設定するβ設定部を有する、
ことを特徴とする同期信号検出回路。
【請求項６】
請求項１ないし５の何れかにおいて、
前記期間Ｔ１は、同期信号検出処理時に少なくとも正側および負側の同期信号が何れも現れると想定される期間に設定されている、
ことを特徴とする同期信号検出回路。
【請求項７】
請求項１ないし６の何れかにおいて、
前記期間Ｔ２は、同期信号検出処理時に想定される最短の同期信号発生間隔よりも小さい期間に設定されている、
ことを特徴とする同期信号検出回路。
【請求項８】
記録信号中に挿入された同期信号を検出する同期検出回路を有するディスク再生装置において、前記同期検出回路は；
ゼロレベルとは異なる正および負の信号レベルにて信号波形をスライスしたときの信号幅Ｌを検出する信号幅検出部と、
前記信号幅検出部にて検出される信号幅Ｌのうち期間Ｔ１内において正側および負側にて最大となる信号幅Ｌをそれぞれ正側の基準同期信号幅Ｗ＿Ｔｈ１および負側の基準同期信号Ｗ＿Ｔｈ２として設定する同期信号幅設定部と、
前記信号幅検出部にて検出された正側および負側の信号幅Ｌと前記同期信号幅設定部にて設定された正側の基準同期信号幅Ｗ＿Ｔｈ１および負側の基準同期信号Ｗ＿Ｔｈ２をそれぞれ大小比較し、前記基準同期信号幅Ｗ＿Ｔｈ１またはＷ＿Ｔｈ２に整合する信号幅Ｌの期間を同期信号期間として検出する同期信号検出部とを有する、
ことを特徴とするディスク再生装置。
【請求項９】
請求項８において、
前記同期信号幅設定部は、前記同期信号検出部における同期検出に並行して期間Ｔ１を設定し、この期間Ｔ１内において最大となる信号幅Ｌを基準同期信号幅Ｗとして更新設定する、
ことを特徴とするディスク再生装置
【請求項１０】
請求項８または９において、
前記同期信号検出部は、前記信号幅検出部にて検出される信号幅Ｌのうち期間Ｔ２内において正側および負側にて最大となる信号幅Ｌをそれぞれ当該期間Ｔ２における最大信号幅ＭＡＸ＿Ｌ１およびＭＡＸ＿Ｌ２として検出し、この最大信号幅ＭＡＸ＿Ｌ１が基準同期信号幅Ｗ＿Ｔｈ１に整合し、あるいは、ＭＡＸ＿Ｌ２がＷ＿Ｔｈ２に整合するとき、そのときの最大信号幅ＭＡＸ＿Ｌ１またはＭＡＸ＿Ｌ２に対応する期間を同期信号期間として検出する、
ことを特徴とするディスク再生装置。
【請求項１１】
請求項８ないし１０の何れかにおいて、
前記同期信号検出部は、基準同期信号幅Ｗ＿Ｔｈ１の変動許容値αをもとに前記正側の信号幅Ｌまたは最大信号幅ＭＡＸ＿Ｌ１がＷ＿Ｔｈ１−αからＷ＿Ｔｈ１＋αの範囲内にあるかを判別し、且つ、基準同期信号幅Ｗ＿Ｔｈ２の変動許容値βをもとに前記負側の信号幅Ｌまたは最大信号幅ＭＡＸ＿Ｌ２がＷ＿Ｔｈ２−βからＷ＿Ｔｈ２＋βの範囲内にあるかを判別し、何れかの範囲内にあるときに、前記正側または負側の信号幅Ｌあるいは最大信号幅ＭＡＸ＿Ｌ１またはＭＡＸ＿Ｌ２が前記同期信号幅Ｗ＿Ｔｈ１あるいはＷ＿Ｔｈ２に整合するとして、そのときの前記信号幅Ｌまたは最大信号幅ＭＡＸ＿Ｌ、ＭＡＸ＿Ｌ２に対応する期間を同期信号期間として検出する、
ことを特徴するディスク再生装置。
【請求項１２】
請求項１１において、
ディスク回転速度に応じて前記変動許容値αおよびβを設定するα設定部およびβ設定部を有する、
ことを特徴とするディスク再生装置。
【請求項１３】
請求項８ないし１２の何れかにおいて、
前記期間Ｔ１は、同期信号検出処理時に少なくとも正側および負側の同期信号が何れも現れると想定される期間に設定されている、
ことを特徴とするディスク再生装置。
【請求項１４】
請求項８ないし１３の何れかにおいて、
前記期間Ｔ２は、同期信号検出処理時に想定される最短の同期信号発生間隔よりも小さい期間に設定されている、
ことを特徴とするディスク再生装置。
【発明の詳細な説明】
【技術分野】
【０００１】
本発明は、同期信号検出回路およびディスク再生装置に関し、特に、信号波形に符号間干渉が生じる場合に用いて好適なものである。
【背景技術】
【０００２】
ＣＤドライブやＤＶＤドライブ等のディスク再生装置には、再生信号から同期信号を検出するための同期信号検出回路が配備されている。ここで、同期信号は、通常の信号よりも長い信号期間を有している場合が多く、この場合、前記同期信号検出回路は、再生信号をゼロレベルでスライスして信号幅を検出し、一連の信号幅のうち最長の信号幅の期間を同期信号期間として検出するよう構成される。なお、同期信号検出回路として、以下の特許文献１、２に記載の発明が知られている。
【特許文献１】特開平７−３２６１３９号公報
【特許文献２】特開平８−１３８３２８号公報
【発明の開示】
【発明が解決しようとする課題】
【０００３】
しかしながら、上記のようにゼロレベルでスライスして同期信号を検出する場合には、特に高密度ディスクを扱う場合等、再生信号波形に符号間干渉が生じる場合に、同期信号期間を正しく検出できないとの問題が生じる。すなわち、再生信号に符号間干渉が生じると、本来現れるべき信号幅よりも長い信号幅がゼロレベルによるスライスにて検出されてしまうため、同期信号期間ではない期間を同期信号期間として誤検出する場合が起こり得る。
【０００４】
これに対し、ゼロレベルとは異なるレベルにて再生信号をスライスして同期信号を検出する方法が考えられるが、この場合、再生信号波形にオフセットやアシンメトリが生じると、プラス側のスライスレベルでスライスしたときの同期信号幅とマイナス側でスライスしたときの同期信号幅が相違することとなる。このため、再生信号のプラス側とマイナス側の両方にそれぞれ同期信号が生じるような場合には、最長の信号期間を同期信号期間として検出すると、プラス側とマイナス側の何れか一方の同期信号期間を適正に検出できない惧れが生じる。
【０００５】
そこで、本発明は、かかる問題を解消し、再生信号波形に符号間干渉が生じても、プラス側とマイナス側の同期信号期間を円滑かつ適正に検出できる同期信号検出回路およびディスク再生装置を提供することを課題とする。
【課題を解決するための手段】
【０００６】
上記課題に鑑み本発明は、以下の特徴を有する。
【０００７】
請求項１の発明は、同期信号検出回路において、ゼロレベルとは異なる正および負の信号レベルにて信号波形をスライスしたときの信号幅Ｌを検出する信号幅検出部と、前記信号幅検出部にて検出される信号幅Ｌのうち期間Ｔ１内において正側および負側にて最大となる信号幅Ｌをそれぞれ正側の基準同期信号幅Ｗ＿Ｔｈ１および負側の基準同期信号Ｗ＿Ｔｈ２として設定する同期信号幅設定部と、前記信号幅検出部にて検出された正側および負側の信号幅Ｌと前記同期信号幅設定部にて設定された正側の基準同期信号幅Ｗ＿Ｔｈ１および負側の基準同期信号Ｗ＿Ｔｈ２をそれぞれ大小比較し、前記基準同期信号幅Ｗ＿Ｔｈ１またはＷ＿Ｔｈ２に整合する信号幅Ｌの期間を同期信号期間として検出する同期信号検出部とを有することを特徴とする。
【０００８】
請求項２の発明は、請求項１に記載の同期信号検出回路において、前記同期信号幅設定部は、前記同期信号検出部における同期検出に並行して期間Ｔ１を設定し、この期間Ｔ１内において最大となる信号幅Ｌを基準同期信号幅Ｗとして更新設定することを特徴とする。
【０００９】
請求項３の発明は、請求項１または２に記載の同期信号検出回路において、前記同期信号検出部は、前記信号幅検出部にて検出される信号幅Ｌのうち期間Ｔ２内において正側および負側にて最大となる信号幅Ｌをそれぞれ当該期間Ｔ２における最大信号幅ＭＡＸ＿Ｌ１およびＭＡＸ＿Ｌ２として検出し、この最大信号幅ＭＡＸ＿Ｌ１が基準同期信号幅Ｗ＿Ｔｈ１に整合し、あるいは、ＭＡＸ＿Ｌ２がＷ＿Ｔｈ２に整合するとき、そのときの最大信号幅ＭＡＸ＿Ｌ１またはＭＡＸ＿Ｌ２に対応する期間を同期信号期間として検出することを特徴とする。
【００１０】
請求項４の発明は、請求項１ないし３の何れかに記載の同期信号検出回路において、前記同期信号検出部は、基準同期信号幅Ｗ＿Ｔｈ１の変動許容値αをもとに前記正側の信号幅Ｌまたは最大信号幅ＭＡＸ＿Ｌ１がＷ＿Ｔｈ１−αからＷ＿Ｔｈ１＋αの範囲内にあるかを判別し、且つ、基準同期信号幅Ｗ＿Ｔｈ２の変動許容値βをもとに前記負側の信号幅Ｌまたは最大信号幅ＭＡＸ＿Ｌ２がＷ＿Ｔｈ２−βからＷ＿Ｔｈ２＋βの範囲内にあるかを判別し、何れかの範囲内にあるときに、前記正側または負側の信号幅Ｌあるいは最大信号幅ＭＡＸ＿Ｌ１またはＭＡＸ＿Ｌ２が前記同期信号幅Ｗ＿Ｔｈ１あるいはＷ＿Ｔｈ２に整合するとして、そのときの前記信号幅Ｌまたは最大信号幅ＭＡＸ＿Ｌ、ＭＡＸ＿Ｌ２に対応する期間を同期信号期間として検出することを特徴する。
【００１１】
請求項５の発明は、請求項４に記載の同期信号検出回路において、前記同期信号幅Ｗ＿Ｔｈ１の大きさに応じて前記変動許容値αを設定するα設定部と、前記同期信号幅Ｗ＿Ｔｈ２の大きさに応じて前記変動許容値βを設定するβ設定部を有することを特徴とする。
【００１２】
請求項６の発明は、請求項１ないし５の何れかに記載の同期信号検出回路において、前記期間Ｔ１は、同期信号検出処理時に少なくとも正側および負側の同期信号が何れも現れると想定される期間に設定されていることを特徴とする。
【００１３】
請求項７の発明は、請求項１ないし６の何れかに記載の同期信号検出回路において、前記期間Ｔ２は、同期信号検出処理時に想定される最短の同期信号発生間隔よりも小さい期間に設定されていることを特徴とする。
【００１４】
請求項８の発明は、記録信号中に挿入された同期信号を検出する同期検出回路を有するディスク再生装置において、前記同期検出回路は、ゼロレベルとは異なる正および負の信号レベルにて信号波形をスライスしたときの信号幅Ｌを検出する信号幅検出部と、前記信号幅検出部にて検出される信号幅Ｌのうち期間Ｔ１内において正側および負側にて最大となる信号幅Ｌをそれぞれ正側の基準同期信号幅Ｗ＿Ｔｈ１および負側の基準同期信号Ｗ＿Ｔｈ２として設定する同期信号幅設定部と、前記信号幅検出部にて検出された正側および負側の信号幅Ｌと前記同期信号幅設定部にて設定された正側の基準同期信号幅Ｗ＿Ｔｈ１および負側の基準同期信号Ｗ＿Ｔｈ２をそれぞれ大小比較し、前記基準同期信号幅Ｗ＿Ｔｈ１またはＷ＿Ｔｈ２に整合する信号幅Ｌの期間を同期信号期間として検出する同期信号検出部とを有することを特徴とする。
【００１５】
請求項９の発明は、請求項８に記載のディスク再生装置において、前記同期信号幅設定部は、前記同期信号検出部における同期検出に並行して期間Ｔ１を設定し、この期間Ｔ１内において最大となる信号幅Ｌを基準同期信号幅Ｗとして更新設定することを特徴とする。
【００１６】
請求項１０の発明は、請求項８または９に記載のディスク再生装置において、前記同期信号検出部は、前記信号幅検出部にて検出される信号幅Ｌのうち期間Ｔ２内において正側および負側にて最大となる信号幅Ｌをそれぞれ当該期間Ｔ２における最大信号幅ＭＡＸ＿Ｌ１およびＭＡＸ＿Ｌ２として検出し、この最大信号幅ＭＡＸ＿Ｌ１が基準同期信号幅Ｗ＿Ｔｈ１に整合し、あるいは、ＭＡＸ＿Ｌ２がＷ＿Ｔｈ２に整合するとき、そのときの最大信号幅ＭＡＸ＿Ｌ１またはＭＡＸ＿Ｌ２に対応する期間を同期信号期間として検出することを特徴とする。
【００１７】
請求項１１の発明は、請求項８ないし１０の何れかに記載のディスク再生装置において、前記同期信号検出部は、基準同期信号幅Ｗ＿Ｔｈ１の変動許容値αをもとに前記正側の信号幅Ｌまたは最大信号幅ＭＡＸ＿Ｌ１がＷ＿Ｔｈ１−αからＷ＿Ｔｈ１＋αの範囲内にあるかを判別し、且つ、基準同期信号幅Ｗ＿Ｔｈ２の変動許容値βをもとに前記負側の信号幅Ｌまたは最大信号幅ＭＡＸ＿Ｌ２がＷ＿Ｔｈ２−βからＷ＿Ｔｈ２＋βの範囲内にあるかを判別し、何れかの範囲内にあるときに、前記正側または負側の信号幅Ｌあるいは最大信号幅ＭＡＸ＿Ｌ１またはＭＡＸ＿Ｌ２が前記同期信号幅Ｗ＿Ｔｈ１あるいはＷ＿Ｔｈ２に整合するとして、そのときの前記信号幅Ｌまたは最大信号幅ＭＡＸ＿Ｌ、ＭＡＸ＿Ｌ２に対応する期間を同期信号期間として検出することを特徴する。
【００１８】
請求項１２の発明は、請求項１１に記載のディスク再生装置において、ディスク回転速度に応じて前記変動許容値αおよびβを設定するα設定部およびβ設定部を有することを特徴とする。
【００１９】
請求項１３の発明は、請求項８ないし１２の何れかに記載のディスク再生装置において、前記期間Ｔ１は、同期信号検出処理時に少なくとも正側および負側の同期信号が何れも現れると想定される期間に設定されていることを特徴とする。
【００２０】
請求項１４の発明は、請求項８ないし１３の何れかに記載のディスク再生装置において、前記期間Ｔ２は、同期信号検出処理時に想定される最短の同期信号発生間隔よりも小さい期間に設定されていることを特徴とする。
【００２１】
なお、上記発明における「期間Ｔ１」は、以下に示す実施の形態では「基準同期信号幅検出期間」として示されている。また、上記発明における「期間Ｔ２」は、以下に示す実施の形態では「最大幅検出期間」として示されている。また、上記発明における「変動許容値α」および「変動許容値β」は、以下に示す実施の形態では「マージンα」および「マージンβ」として示されている。
【発明の効果】
【００２２】
本発明によれば、同期信号検出回路において、ゼロレベルとは異なる信号レベルにて信号波形をスライスしたときの信号幅Ｌをもとに同期信号が検出されるため、信号波形に符号間干渉が生じても、適正に、同期信号期間を検出することができる。このとき、再生信号波形のオフセットやアシンメトリの状態に応じて基準同期信号幅Ｗ＿Ｔｈ１およびＷ＿Ｔｈ２が適宜設定されるため、再生信号波形にオフセットやアシンメトリが生じても、同期信号期間を円滑に検出することができる。
【００２３】
また、請求項２または９の発明によれば、基準同期信号幅Ｗ＿Ｔｈ１およびＷ＿Ｔｈ２が更新設定されるため、同期引き込み時等、同期信号期間が変動する場合にも円滑に、同期信号期間を検出することができる。
【００２４】
また、請求項３、４または１０、１１の発明によれば、同期信号検出処理の円滑化を図ることができる。
【００２５】
また、請求項５または１２の発明によれば、基準同期信号幅Ｗ＿Ｔｈ１およびＷ＿Ｔｈ２の大きさまたはディスク回転速度に応じて変動許容値αおよびβを設定するため、同期引き込み時やＰＬＬ引き込み時等、同期信号期間が変動する場合にも円滑に、同期信号期間を検出することができる。
【００２６】
また、請求項６または１３の発明によれば、期間Ｔ１中に必ず正側および負側の同期信号が含まれるため、基準同期信号幅Ｗ＿Ｔｈ１およびＷ＿Ｔｈ２を適正に設定することができる。
【００２７】
また、請求項７または１４の発明によれば、期間Ｔ２中に同期信号が２つ含まれるのを回避できるため、同期信号の検出漏れを抑制することができる。
【００２８】
本発明の効果ないし意義は、以下に示す実施の形態の説明により更に明らかとなろう。ただし、以下に示す実施の形態は、あくまでも、本発明の一つの例示であって、本発明ないし各構成要件の意義は、以下の実施形態に記載されたものに制限されるものではない。
【発明を実施するための最良の形態】
【００２９】
以下、本発明の実施の形態につき図面を参照して説明する。本実施の形態は、次世代ＤＶＤ（Digital Versatile Disc）等の高密度光ディスクに対して記録／再生を行う光ディスク装置に本発明を適用したものである。
【００３０】
図１は、ディスクに記録されるデータのフォーマットである。かかるディスクには、１フレーム毎に同期信号期間（Sync）が割り当てられている。また、同期信号は、再生信号上、ゼロレベルからプラス側とマイナス側にそれぞれ現れる。プラス側とマイナス側の何れに現れるかは、たとえば、１フレームおきに同期信号の極性を反転させるといったような規則性を持たせてもよいが、本実施の形態では、特に規則性は持たせないものとする。
【００３１】
図２に、実施の形態に係る光ディスク装置の構成を示す。なお、図２には、再生系のみを図示し記録系については図示省略している。また、フォーカスサーボ回路やトラッキングサーボ回路等も図示省略している。
【００３２】
図２に示す如く、本実施の形態に係る光ディスク装置は、光ピックアップ１０１と、増幅回路１０２と、ＡＤＣ（Analog-Digital Converter）１０３と、データ補間回路１０４と、イコライザ１０５と、ビタビデコーダ１０６と、位相比較器１０７と、ＬＰＦ（ループフィルタ）１０８と、加算器１０９と、デジタルＶＣＯ（Voltage Controlled Oscillator）１１０と、同期信号検出回路１１１と、周波数エラー検出回路１１２と、ＬＰＦ（ループフィルタ）１１３と、スピンドルモータサーボ回路１１４と、スピンドルモータ１１５を備えている。
【００３３】
光ピックアップ１０１は、ディスクにレーザ光を照射してデータの書き込みを行うとともに、ディスクからの反射光を受光してデータの読み取りを行う。増幅回路１０２は、光ピックアップ１０１から供給される再生ＲＦ信号を増幅してＡＤＣ１０３に出力する。ＡＤＣ１０３は、デジタルＶＣＯ１１０にて生成されるリサンプルクロックよりも高周波の非同期クロック（以下、システムクロックという）に応じたサンプリングタイミングにて再生ＲＦ信号をサンプリングし、サンプル値をデジタルデータに変換してデータ補間回路１０４に出力する。
【００３４】
データ補間回路１０４は、ＡＤＣ１０３から入力されるデジタルデータと、デジタルＶＣＯ１１０から入力されるリサンプルクロックおよびリサンプル位相情報を用いて、データ補間タイミング（以下、リサンプルタイミングという）におけるデータ値（リサンプルデータ）を算出し、算出したリサンプルデータをイコライザ１０５と位相比較器１０７に出力する。すなわち、図３示す如く、リサンプルクロックの立ち上がりタイミングからリサンプル位相情報に応じた位相だけずれたリサンプルタイミング（同図●印のタイミング）における補間値を、このリサンプルタイミングを挟む前後のＡＤデータ（ＡＤＣ１０３から入力されるデジタルデータ）をもとに算出し、これをリサンプルタイミングにおけるリサンプルデータとしてイコライザ１０５と位相比較器１０７に出力する。
【００３５】
イコライザ１０５は、データ補間回路１０４から供給されるリサンプルデータに対して波形等化処理を施してビタビデコーダ１０６に出力する。ビタビデコーダ１０６は、イコライザ１０５から供給されたデジタルデータにビタビ復号処理を施して１、０の２値化データを生成出力する。
【００３６】
位相比較器１０７は、データ補間回路１０４から供給されるリサンプルデータをもとに再生ＲＦ信号波形のエッジ、すなわち、図３に示す再生ＲＦ信号波形とスライスレベルの交点位置を判別し、このエッジをもとに設定される正規のリサンプルタイミングとデジタルＶＣＯ１１０にて生成されたリサンプルタイミングの間の位相差を検出する。そして、この位相差に応じたデジタルデータ（位相差データΔＰ）をＬＰＦ１０８に出力する。
【００３７】
ＬＰＦ１０８は、位相差データの高周波成分を遮断して直流化し、これを加算器１０９に出力する。加算器１０９は、ＬＰＦ１０８から供給される位相差データΔＰと、ＬＰＦ１１３から供給される周波数ずれデータΔＦ（後述）を加算してデジタルＶＣＯ１１０に出力する。
【００３８】
デジタルＶＣＯ１１０は、加算器１０９から供給されるデータ（位相差データ＋周波数ずれデータ）に応じて位相差および周波数ずれを補償するようリサンプルクロックの周期を調整し、調整後のリサンプルクロックとそのリサンプル位相情報をデータ補間回路１０４に出力する。また、調整後のリサンプルクロックをスピンドルモータサーボ回路１１４に出力する。
【００３９】
同期信号検出回路１１１は、ＡＤＣ１０３から入力されるデジタルデータから同期信号期間を検出し、検出結果を周波数エラー検出回路１１２に出力する。なお、同期信号検出回路１１１の詳細については追って詳述する。
【００４０】
周波数エラー検出回路１１２は、同期信号検出回路１１１から供給される同期信号期間検出信号から同期信号の周波数を検出し、この周波数と基準周波数との間の差分ΔＦを周波数ずれデータとしてＬＰＦ１１３に出力する。ＬＰＦ１１３は、周波数ずれデータの高周波成分を遮断して直流化し、これを加算器１０９に出力する。
【００４１】
スピンドルモータサーボ回路１１４は、デジタルＶＣＯ１１０から供給されるリサンプルタイミングの周波数とターゲット周波数の間の差分を算出し、これを周波数ずれデータとして、リサンプルタイミングの周波数を適正値に近づけるためのディスク回転サーボ信号を生成する。たとえば、差分が正の値の場合は適正値よりもディスクの回転が遅いので回転を速める必要があり、逆に差分が負の値の場合はディスクの回転を遅くする必要がある。スピンドルモータサーボ回路１１４は、ディスク半径位置に応じた回転数で大まかに回転をあわせ、その後に上記差分を参照して適正な回転数に制御する。しかし、はじめから半径位置に拘わらずＣＡＶ（角速度一定）で回転しておき、上記差分を参照して適正値にあわせることも可能である。
【００４２】
スピンドルモータ１１５は、スピンドルモータサーボ回路１１４から供給されるサーボ信号に応じてディスクを回転駆動する。
【００４３】
次に、同期信号検出回路１１１における同期検出方法について図４を参照して説明する。
【００４４】
かかる同期検出においては、まず、再生信号波形が正負２つの閾値レベルＴｈ１、Ｔｈ２にてスライスされ、各スライス時における信号期間（信号幅Ｌ）が検出される。すなわち、正の閾値レベルＴｈ１にてスライスされる場合は、再生信号の振幅値がＴｈ１以上となってからＴｈ１未満となるまでの期間が信号幅Ｌとして検出され、負の閾値レベルＴｈ２にてスライスされる場合は、再生信号の振幅値がＴｈ２以下となってからＴｈ２を越えるまでの期間が信号幅Ｌとして検出される。具体的には、その期間内に含まれるシステムクロックの個数がカウントされ、そのカウント数が信号幅Ｌとされる。そして、予め設定された期間（最大幅検出期間）において取得される複数の信号幅Ｌの長さが比較され、そのうち、プラス側にて最長の信号幅Ｌが当該最大幅検出期間におけるプラス側の最大信号幅ＭＡＸ＿Ｌ１として取得される。同様に、マイナス側にて最長の信号幅Ｌが当該最大幅検出期間におけるマイナス側の最大信号幅ＭＡＸ＿Ｌ２として取得される。
【００４５】
このように取得された最大信号幅ＭＡＸ＿Ｌ１、ＭＡＸ＿Ｌ２は、基準同期信号幅Ｗ＿Ｔｈ１、Ｗ＿Ｔｈ２をマージンα、βで調整した信号幅Ｗ＿Ｔｈ１±α、Ｗ＿Ｔｈ２±βと比較される。ここで、基準同期信号幅Ｗ＿Ｔｈ１、Ｗ＿Ｔｈ２は、同期信号検出処理時に適宜設定される（これについては追って述べる）。
【００４６】
そして、最大信号幅ＭＡＸ＿Ｌ１がＷ＿Ｔｈ１−αからＷ＿Ｔｈ１＋αの範囲にあるかが判別され、その判別結果に応じて最大信号幅ＭＡＸ＿Ｌ１が同期信号期間であるかが判別される。具体的には、最大信号幅ＭＡＸ＿Ｌ１と基準同期信号幅Ｗ＿Ｔｈ１との差分が求められ、この差分が±αの範囲内にある場合は、最大信号幅ＭＡＸ＿Ｌ１が同期信号期間とされる。この差分が±αの範囲内にない場合は、最大信号幅ＭＡＸ＿Ｌ１は同期信号期間とはされない。
【００４７】
同様に、最大信号幅ＭＡＸ＿Ｌ２がＷ＿Ｔｈ２−βからＷ＿Ｔｈ２＋βの範囲にあるかが判別され、その判別結果に応じて最大信号幅ＭＡＸ＿Ｌ２が同期信号期間であるかが判別される。具体的には、最大信号幅ＭＡＸ＿Ｌ２と基準同期信号幅Ｗ＿Ｔｈ２との差分が求められ、この差分が±βの範囲内にある場合は、最大信号幅ＭＡＸ＿Ｌ２が同期信号期間とされる。この差分が±βの範囲内にない場合は、最大信号幅ＭＡＸ＿Ｌ２は同期信号期間とはされない。
【００４８】
図４に示す例では、プラス側２つとマイナス側１つの計３つの信号幅Ｌが検出される。このうち、プラス側にて検出された１２Ｔの信号幅Ｌがプラス側の最大信号幅ＭＡＸ＿Ｌ１とされ、マイナス側にて検出された１３Ｔの信号幅Ｌがマイナス側の最大信号幅ＭＡＸ＿Ｌ２とされる。そして、この最大信号幅ＭＡＸ＿Ｌ１、ＭＡＸ＿Ｌ２と基準同期信号幅Ｗ＿Ｔｈ１、Ｗ＿Ｔｈ２がそれぞれ比較され、その差分が±α、±βの範囲内にある場合に、この最大信号幅ＭＡＸ＿Ｌ１、ＭＡＸ＿Ｌ２が同期信号期間として検出される。同図の場合は、マイナス側の最大信号幅ＭＡＸ＿Ｌ２がＷ＿Ｔｈ２にマッチすることとなり、この信号幅期間が同期信号期間として検出される。
【００４９】
なお、従来技術として述べたように、再生信号波形をゼロレベルでスライスした場合は、同図に併せて示す如く、真の同期信号期間とは別の期間が最長期間となるため、この期間が同期信号期間として誤検出される。これに対し、本実施の形態の如くして同期検出を行う場合には、真の同期信号検出期間を適正に同期信号期間として検出する可能性が引き上げられる。
【００５０】
図５に、基準同期信号幅Ｗ＿Ｔｈ１、Ｗ＿Ｔｈ２の設定方法を示す。なお、同図は、再生信号波形にプラス方向のオフセットが生じた場合の例を示すものである。
【００５１】
基準同期信号幅Ｗ＿Ｔｈ１とＷ＿Ｔｈ２は、正負２つの閾値レベルＴｈ１、Ｔｈ２にて再生信号波形をスライスして得た信号幅Ｌを、予め設定された基準同期信号幅検出期間において比較し、そのうち、プラス側とマイナス側にて最大となる信号幅Ｌをそれぞれ基準同期信号幅Ｗ＿Ｔｈ１とＷ＿Ｔｈ２とすることにより設定される。
【００５２】
上記図４に示すように再生信号波形にオフセットやアシンメトリが生じていない場合には、基準同期信号幅Ｗ＿Ｔｈ１とＷ＿Ｔｈ２は、ほぼ同一の信号幅となる。この場合、プラス側とマイナス側に拘わらず基準同期信号幅検出期間において最大となる信号幅Ｌを、基準同期信号幅Ｗ＿Ｔｈ１とＷ＿Ｔｈ２の信号幅として同じく設定しても、上記図４にて示した方法にて同期信号期間を適正に検出できる。
【００５３】
これに対し、図５に示すように再生信号波形にオフセットが生じている場合には、基準同期信号幅Ｗ＿Ｔｈ１とＷ＿Ｔｈ２は、オフセットまたはアシンメトリの状態に応じて変化する。図５の場合は、再生信号波形にプラス方向のオフセットが生じているため、基準同期信号幅Ｗ＿Ｔｈ１とＷ＿Ｔｈ２の間には、Ｗ＿Ｔｈ１＞Ｗ＿Ｔｈ２の関係がある。この場合、プラス側とマイナス側に拘わらず基準同期信号幅検出期間において最大となる信号幅Ｌを、基準同期信号幅Ｗ＿Ｔｈ１とＷ＿Ｔｈ２の信号幅として同じく設定すると、プラス側およびマイナス側の何れか一方の同期信号期間を適正に検出できなくなる。
【００５４】
たとえば、図５の場合は、プラス側１３Ｔに対応する信号幅Ｌが基準同期信号幅検出期間において最大となる。この信号幅Ｌを基準同期信号幅Ｗ＿Ｔｈ１とＷ＿Ｔｈ２の信号幅として同じく設定すると、プラス側の同期信号期間（１３Ｔ）は適正に検出されるが、マイナス側の同期信号期間（１３Ｔ）は、設定されたＷ＿Ｔｈ２の信号幅よりもマージンβを越えて小さくなるため、同期信号期間として検出されない。
【００５５】
そこで、本実施の形態では、上述のように、基準同期信号幅検出期間においてプラス側とマイナス側にてそれぞれ最大となる信号幅Ｌを、基準同期信号幅Ｗ＿Ｔｈ１とＷ＿Ｔｈ２として設定する。これにより、再生信号波形にオフセットやアシンメトリが生じても、その状態に応じた基準同期信号幅Ｗ＿Ｔｈ１、Ｗ＿Ｔｈ２が設定される。よって、プラス側およびマイナス側の両方において同期信号期間を適正に検出できる。
【００５６】
図６に、同期信号検出回路１１１の構成例を示す。
【００５７】
かかる構成例において、同期信号検出回路１１１は、データスライス部１１と、信号幅検出部１２と、＋側最大幅検出部１３と、＋側同期信号幅設定部１４と、α設定部１５と、−側最大幅検出部１６と、−側同期信号幅設定部１７と、β設定部１８と、同期信号検出部１９から構成されている。
【００５８】
データスライス部１１は、ＡＤＣ１０３から入力されるＡＤデータと閾値レベルＴｈ１、Ｔｈ２とを大小比較し、比較結果を信号幅検出部１２に供給する。信号幅検出部１２は、データスライス部１１から供給されるデータをもとに上記のようにして信号幅Ｌ（システムクロックの個数）を検出し、プラス側の信号幅Ｌとマイナス側の信号幅Ｌをそれぞれ＋側最大幅検出部１３と−側最大幅検出部１６に出力する。
【００５９】
＋側最大幅検出部１３は、信号幅検出部１２から供給される信号幅Ｌの長さを最大幅検出期間毎に比較し、このうち最長の信号幅Ｌを最大信号幅ＭＡＸ＿Ｌ１として検出する。同様に、−側最大幅検出部１６は、信号幅検出部１２から供給される信号幅Ｌの長さを最大幅検出期間毎に比較し、このうち最長の信号幅Ｌを最大信号幅ＭＡＸ＿Ｌ２として検出する。
【００６０】
＋側同期信号幅設定部１４は、同期信号幅設定期間中に＋側最大幅検出部１３から供給される最大信号幅ＭＡＸ＿Ｌ１を比較し、そのうち最大となる最大信号幅ＭＡＸ＿Ｌ１をプラス側の基準同期信号幅Ｗ＿Ｔｈ１として設定する。同様に、−側同期信号幅設定部１７は、同期信号幅設定期間中に−側最大幅検出部１６から供給される最大信号幅ＭＡＸ＿Ｌ２を比較し、そのうち最大となる最大信号幅ＭＡＸ＿Ｌ２をマイナス側の基準同期信号幅Ｗ＿Ｔｈ２として設定する。
【００６１】
α設定部１５は、基準同期信号幅Ｗ＿Ｔｈ１に対するマージンαを設定する。同様に、β設定部１８は、基準同期信号幅Ｗ＿Ｔｈ２に対するマージンβを設定する。ここで、マージンα、βは固定でも良いが、より好ましくは、ディスクの回転速度に応じて調整するのが良い。すなわち、ディスクの回転速度が速くなるに応じて小さくなるよう調整すると良い。たとえば、＋側同期信号幅設定部１４および−側同期信号幅設定部１７によって設定された基準同期信号幅Ｗ＿Ｔｈ１、Ｗ＿Ｔｈ２を適宜モニタし、これら基準同期信号幅が大きくなるに応じて大きくなるようマージンα、βを調整する。
【００６２】
同期信号検出部１９は、＋側最大幅検出部１３から供給される最大信号幅ＭＡＸ＿Ｌ１と基準同期信号幅Ｗ＿Ｔｈ１およびマージンαとを比較して同期信号期間を検出する。また、−側最大幅検出部１７から供給される最大信号幅ＭＡＸ＿Ｌ２と基準同期信号幅Ｗ＿Ｔｈ２およびマージンβとを比較して同期信号期間を検出する。
【００６３】
すなわち、同期信号検出部１９は、最大信号幅ＭＡＸ＿Ｌ１と基準同期信号幅Ｗ＿Ｔｈ１との差分を求め、求めた差分が±αの範囲内にある場合にのみ、供給された最大信号幅ＭＡＸ＿Ｌ１を同期信号期間として検出する。また、最大信号幅ＭＡＸ＿Ｌ２と基準同期信号幅Ｗ＿Ｔｈ２との差分を求め、求めた差分が±βの範囲内にある場合にのみ、供給された最大信号幅ＭＡＸ＿Ｌ２を同期信号期間として検出する。
【００６４】
図７に、同期検出時のタイミングチャートを示す。なお、同図の例では、システムクロックを連続して１０００クロックカウントする期間が最大幅検出期間とされ、また、同期検出開始時にシステムクロックを連続して１００００クロックカウントする期間が同期信号幅設定期間（イニシャライズ期間）とされている。
【００６５】
なお、最大幅検出期間の長さは、その期間に同期信号が２個含まれることがないような長さに設定される。たとえば、図２に示す如く、デジタルＶＣＯ１１０を用いたＰＬＬ引き込み時に同期信号を参照する場合には、ＰＬＬ引き込み時に最も早いものとして設定されるディスク回転数のときの１フレーム期間（図１に示す１フレーム期間）よりも短い期間に設定される。
【００６６】
また、同期信号幅設定期間（イニシャライズ期間）は、その期間にプラス側同期信号とマイナス側同期信号が少なくとも１個含まれ得る長さに設定される。たとえば、通常、１０フレーム間中に少なくともプラス側同期信号とマイナス側同期信号が少なくとも１個は含まれると想定される場合、同期信号幅設定期間は、ＰＬＬ引き込み時に最も遅いものとして設定されるディスク回転数のときの１０フレーム期間よりも長い期間に設定される。なお、プラス側同期信号とマイナス側同期信号の現れ方に規則性があれば、その規則性を考慮して、プラス側同期信号とマイナス側同期信号が少なくとも１個含まれ得る長さに同期信号幅設定期間を設定すればよい。
【００６７】
図７を参照して、同期検出が開始されると、まず、イニシャライズ期間（１００００クロック分）内の各最大幅検出期間（１０００クロック分）にて最大信号幅ＭＡＸ＿Ｌが検出され、そのうち、プラス側とマイナス側にてそれぞれ最長の最大信号幅ＭＡＸ＿Ｌ１、ＭＡＸ＿Ｌ２が基準同期信号幅Ｗ＿Ｔｈ１、Ｗ＿Ｔｈ２として設定される。しかる後、これら基準同期信号幅Ｗ＿Ｔｈ１、Ｗ＿Ｔｈ２とマージンα、βを用いて同期信号の検出が開始される。かかる同期信号検出時には、各最大幅検出期間のスタート位置から最大信号幅ＭＡＸ＿Ｌ１およびＭＡＸ＿Ｌ２の位置までのクロック数が順次メモリされる。そして、最大信号幅ＭＡＸ＿Ｌ１およびＭＡＸ＿Ｌ２の何れかが同期信号として検出されれば、次の最大幅検出期間のスタート位置から、同期信号として検出された最大幅までのクロック数としてメモリに記憶されているクロック数が経過したタイミングにて、同期検出信号が出力される。つまり、同期検出信号は、最大幅検出期間だけ遅延して出力される。
【００６８】
図８に、最大信号幅検出時フローチャートを示す。
【００６９】
最大信号幅検出時には、再生信号波形が閾値レベルＴｈ１、Ｔｈ２にてスライスされ、順次、信号幅Ｌが取得され（Ｓ１０）、プラス側の信号幅Ｌとマイナス側の信号幅Ｌに振り分けられる（Ｓ１１）。次に、プラス側の信号幅Ｌとマイナス側の信号幅Ｌは、それぞれ、それまで最長とされている信号幅ＭＡＸ＿Ｌ１、ＭＡＸ＿Ｌ２と比較され（Ｓ１２、Ｓ１４）、これより大きければ（Ｓ１２：ＹＥＳ、Ｓ１４：ＹＥＳ）、プラス側およびマイナス側における信号幅Ｌの最大値ＭＡＸ＿Ｌ１およびＭＡＸ＿Ｌ２として置き換えられる（Ｓ１３、Ｓ１５）。この置き換えは、最大幅検出期間の開始時から終了時まで繰り返される（Ｓ１６）。すなわち、図７の例では、最大信号幅の検出開始時からのシステムクロックのカウント数（ClkCNT）が１０００クロック（MAXCNT）に達するまで繰り返される。そして、最大幅検出期間が終了すると、そのときに残った信号幅の最大値ＭＡＸ＿Ｌ１、ＭＡＸ＿Ｌ２がそのままプラス側およびマイナス側の最大信号幅ＭＡＸ＿Ｌ１およびＭＡＸ＿Ｌ２として出力される。
【００７０】
図９に、基準同期信号幅検出時のフローチャートを示す。
【００７１】
基準同期信号幅検出時には、再生信号波形が閾値レベルＴｈ１、Ｔｈ２にてスライスされ、順次、信号幅Ｌが取得される（Ｓ２０）。プラス側の信号幅Ｌとマイナス側の信号幅Ｌに振り分けられる（Ｓ２１）。次に、プラス側の信号幅Ｌとマイナス側の信号幅Ｌは、それぞれ、それまで最長とされているＷ＿Ｔｈ１、Ｗ＿Ｔｈ２と比較され（Ｓ２２、Ｓ２４）、これより大きければ（Ｓ２２：ＹＥＳ、Ｓ２４：ＹＥＳ））、プラス側およびマイナス側における信号幅Ｌの最大値Ｗ＿Ｔｈ１、Ｗ＿Ｔｈ２として置き換えられる（Ｓ２３、Ｓ２５）。この置き換えは、基準同期信号幅検出期間の開始時から終了時まで繰り返される（Ｓ２６）。すなわち、図９の例では、最大信号幅の検出開始時からのシステムクロックのカウント数（ClkCNT）が１００００クロック（INICNT）に達するまで繰り返される。そして、基準同期信号幅検出期間が終了すると、そのときに残った信号幅の最大値Ｗ＿Ｔｈ１、Ｗ＿Ｔｈ２がそのままプラス側およびマイナス側の基準同期信号幅Ｗ＿Ｔｈ１およびＷ＿Ｔｈ２として出力される。
【００７２】
図１０に、同期信号検出時のフローチャートを示す。
【００７３】
同期信号検出が開始されると、まず、図９に示す基準同期信号幅の設定処理が実行され、基準同期信号幅Ｗ＿Ｔｈ１、Ｗ＿Ｔｈ２が設定される（Ｓ１０１）。そして、設定された基準同期信号幅Ｗをもとにマージンα、βが設定される（Ｓ１０２）。これにてイニシャル期間が終了し、同期信号検出期間が開始される。なお、マージンα、βが固定の場合、Ｓ１０２は省略される。
【００７４】
しかして、同期信号検出期間が開始されると、図８の最大信号幅の検出処理が実行され、最大信号幅ＭＡＸ＿Ｌ１、ＭＡＸ＿Ｌ２が取得される（Ｓ１０３）。取得された最大信号幅ＭＡＸ＿Ｌ１、ＭＡＸ＿Ｌ２は、それぞれ、Ｓ１０１にて設定された基準同期信号幅Ｗ＿Ｔｈ１、Ｗ＿Ｔｈ２と比較される（Ｓ１０４、Ｓ１０８）。
【００７５】
ここで、最大信号幅ＭＡＸ＿Ｌ１が“Ｗ＿Ｔｈ１−α＜ＭＡＸ＿Ｌ１＜Ｗ＿Ｔｈ１＋α”であれば（Ｓ１０４：ＹＥＳ）、この最大信号幅ＭＡＸ＿Ｌ１の期間が同期信号期間として検出される（Ｓ１０５）。最大信号幅ＭＡＸ＿Ｌ１が“Ｗ＿Ｔｈ１−α＜ＭＡＸ＿Ｌ＜Ｗ＿Ｔｈ１＋α”でなければ、この最大信号幅ＭＡＸ＿Ｌ１の期間は同期信号期間として検出されない（Ｓ１０６）。また、最大信号幅ＭＡＸ＿Ｌ２が“Ｗ＿Ｔｈ２−β＜ＭＡＸ＿Ｌ２＜Ｗ＿Ｔｈ２＋β”であれば（Ｓ１０８：ＹＥＳ）、この最大信号幅ＭＡＸ＿Ｌ２の期間が同期信号期間として検出される（Ｓ１０９）。最大信号幅ＭＡＸ＿Ｌ２が“Ｗ＿Ｔｈ２−β＜ＭＡＸ＿Ｌ２＜Ｗ＿Ｔｈ２＋β”でなければ、この最大信号幅ＭＡＸ＿Ｌ２の期間は同期信号期間として検出されない（Ｓ１１０）。
【００７６】
Ｓ１０５またはＳ１０９にて最大信号幅ＭＡＸ＿Ｌ１またはＭＡＸ＿Ｌ２の期間を同期信号期間として検出した場合には、最大幅検出期間のスタート位置からこの最大信号幅ＭＡＸ＿Ｌ１またはＭＡＸ＿Ｌ２までの位置ＰＯＳ（スタート位置からのクロック数）が同期信号出力タイミングとして保存される（Ｓ１０７、Ｓ１１１）。そして、次の最大幅検出期間のスタート位置からこの位置ＰＯＳに到達したタイミングにて同期検出信号が出力される（Ｓ１１２）。
【００７７】
しかる後、処理はＳ１０３に戻り、次の最大幅検出期間に対し同様の処理が実行される。かかる処理は、同期検出動作が終了されるまで繰り返し行われる。
【００７８】
本実施の形態によれば、再生信号波形を閾値レベルＴｈ１、Ｔｈ２でスライスしたときの最大信号幅を同期信号期間として検出するため、図４に示す如く再生信号波形に符号間干渉が生じる場合においても、同期信号期間を精度よく検出することができる。また、再生信号波形のオフセットやアシンメトリの状態に応じて基準同期信号幅Ｗ＿Ｔｈ１、Ｗ＿Ｔｈ２が適宜設定されるため、再生信号波形にオフセットやアシンメトリが生じても、同期信号期間を円滑に検出することができる。
【００７９】
なお、本実施の形態においては、閾値レベルＴｈ１、Ｔｈ２の大きさが同期信号の検出精度に影響する。これら閾値レベルＴｈ１、Ｔｈ２は、サンプルディスクに対して実験・検証を繰り返しながら同期検出精度を高めることができる範囲に設定すれば良い。図１１は、ＨＤＤＶＤ−ＲＯＭに対する検証結果である。これは、正側のスライスレベル（Ｔｈ１）と負側のスライスレベル（Ｔｈ２）をゼロレベルから横軸に示すレベルだけ同様に引き離したときの同期信号の検出エラー率を実験したものである。なお、横軸は、８ビットで正規化したときの信号レベルである。
【００８０】
同図の場合、ゼロレベルに対するスライスレベル（Ｔｈ１）（Ｔｈ２）の信号レベルを１４０〜１６５程度に設定すれば同期検出時のエラーを抑制することができる。この他のサンプルディスクに対しても同様の実験を行い、これらをもとに、スライスレベルの大きさを適正値に設定すれば良い。この他、オフセットキャンセラーにより再生信号のオフセットを軽減させた後、たとえば、Ｔｈ１＝（ピークレベル−０レベル）／２、Ｔｈ２＝（０レベル−ボトムレベル）／２という演算等を実行して、閾値レベルＴｈ１、Ｔｈ２を自動設定するようにしてもよい。
【００８１】
なお、上記実施形態では、基準同期信号幅Ｗ＿Ｔｈ１、Ｗ＿Ｔｈ２をイニシャライズ期間において設定し、これを、イニシャライズ期間後の同期信号検出期間において用いるようにしたが、基準同期信号幅Ｗ＿Ｔｈ１、Ｗ＿Ｔｈ２をイニシャライズ期間後の同期信号検出期間において適宜更新し、更新後は、その基準同期信号幅Ｗ＿Ｔｈ１、Ｗ＿Ｔｈ２を用いて同期信号検出を行うようにすることもできる。かかる更新は、一定期間毎に行う他、同期検出に失敗したり、あるいは、一定期間以上継続して同期検出を行い得なかった場合に実行するようにすることができる。
【００８２】
図１２に、一定期間毎に基準同期信号幅Ｗ＿Ｔｈ１、Ｗ＿Ｔｈ２の更新を行う場合のタイミングチャートを示す。
【００８３】
ここでは、イニシャライズ期間後の同期信号検出期間中、１００００クロック期間（基準同期信号幅検出期間）毎に基準同期信号幅Ｗ＿Ｔｈ１、Ｗ＿Ｔｈ２が更新される。すなわち、同期検出と平行して、１００００クロック期間中において取得された最大信号幅ＭＡＸ＿Ｌ１、ＭＡＸ＿Ｌ２が比較され、そのうち最も長い最大信号幅ＭＡＸ＿Ｌ１、ＭＡＸ＿Ｌ２が、当該１００００クロック期間に続く次の１００００クロック期間に用いる基準同期信号幅Ｗ＿Ｔｈ１、Ｗ＿Ｔｈ２として設定される。
【００８４】
図１３に、かかる場合の同期信号検出時のフローチャートを示す。フローチャート中、Ｓ２０１にて、基準同期信号幅検出期間（図１２の例では１００００クロック期間）毎に基準同期信号幅Ｗ＿Ｔｈ１、Ｗ＿Ｔｈ２が更新される。さらに、更新された基準同期信号幅Ｗ＿Ｔｈ１、Ｗ＿Ｔｈ２をもとにマージンα、βが再設定される。そして、基準同期信号幅検出期間においては、更新された基準同期信号幅Ｗ＿Ｔｈ１、Ｗ＿Ｔｈ２とマージンα、βを用いて同期信号期間の検出が行われる（Ｓ１０３〜Ｓ１０７）。
【００８５】
以上、本発明に係る実施の形態について説明したが、本発明は上記実施の形態に限定されるものではない。
【００８６】
たとえば、上記実施の形態では、再生信号の振幅値が正の閾値レベルＴｈ１以上となってからＴｈ１未満となるまでにカウントされたシステムクロックのカウント数と、負の閾値レベルＴｈ２以下となってからＴｈ２を越えるまでにカウントされたシステムクロックのカウント数を信号幅Ｌとて取得したが、図１４に示すように、この信号幅Ｌから前後のエッジ位置までの幅ＥＤＧＥ＿ＬＥＮＧＴＨ１およびＥＤＧＥ＿ＬＥＮＧＴＨ２を信号幅Ｌに加算して、より精緻な信号幅Ｌ＿ＤＥＴＡＩＬを求め、これをもとに、最大信号幅ＭＡＸ＿Ｌ１、ＭＡＸ＿Ｌ２および基準同期信号幅Ｗ＿Ｔｈ１、Ｗ＿Ｔｈ２の設定、ならびに、同期信号期間の検出を行うようにしてもよい。この場合、上記実施の形態のようにクロック数にて信号幅Ｌ＿ＤＥＴＡＩＬを取得する場合には、ＥＤＧＥ＿ＬＥＮＧＴＨ１とＥＤＧＥ＿ＬＥＮＧＴＨ２は、
ＥＤＧＥ＿ＬＥＮＧＴＨ１＝Ｂ１／（Ａ１＋Ｂ１）
ＥＤＧＥ＿ＬＥＮＧＴＨ２＝Ｂ２／（Ａ２＋Ｂ２）
として求められる。Ａ１およびＢ１、Ａ２およびＢ２は、それぞれエッジ位置を挟む前後のシステムクロックタイミングにおける、Ｔｈ１、Ｔｈ２に対する再生信号の差分（絶対値）である。この場合、ＥＤＧＥ＿ＬＥＮＧＴＨ１とＥＤＧＥ＿ＬＥＮＧＴＨ２は、同図に示す信号幅Ｌ（システムクロック単位）から前後のエッジ位置までの幅を小数点以下のシステムクロック数として表している。
【００８７】
このように、信号幅Ｌ＿ＤＥＴＡＩＬをもとに、最大信号幅ＭＡＸ＿Ｌ１、ＭＡＸ＿Ｌ２および基準同期信号幅Ｗ＿Ｔｈ１、Ｗ＿Ｔｈ２の設定、ならびに、同期信号期間の検出を行うようにすれば、基準同期信号幅Ｗ＿Ｔｈ１、Ｗ＿Ｔｈ２と最大信号幅ＭＡＸ＿Ｌ１、ＭＡＸ＿Ｌ２の比較をより精緻に行うことができ、同期信号の検出精度をさらに引き上げることができる。
【００８８】
また、上記実施の形態では、次世代ＤＶＤ（Digital Versatile Disc）等の高密度光ディスクに対して記録／再生を行う光ディスク装置に本発明を適用した例を示したが、その他の光ディスクに対し記録／再生を行うドライブ装置、あるいは、光磁気ディスク装置や磁気ディスク装置等の他のドライブ装置に本発明を適用することも可能である。但し、本発明は、符号間干渉が生じるディスクを扱うドライブ装置に適用して効果を発揮するものである。
【００８９】
さらに、上記実施の形態では、デジタルＶＣＯ１１０を用いたＰＬＬ引き込み時に同期信号を参照する場合の構成例（図２）を示したが、同期信号を用いる他の構成例に本発明を適用することも勿論可能である。
【００９０】
本発明の実施の形態は、特許請求の範囲に示された技術的思想の範囲内において、適宜、種々の変更が可能である。
【図面の簡単な説明】
【００９１】
【図１】実施の形態に係る記録データのフォーマットを示す図
【図２】実施の形態に係る光ディスク装置の構成例を示す図
【図３】実施の形態に係るリサンプルデータの生成方法を説明する図を示す図
【図４】実施の形態に係る同期検出方法を概念的に示す図
【図５】実施の形態に係る基準同期信号幅の設定方法を説明する図
【図６】実施の形態に係る同期信号検出回路の構成例を示す図
【図７】実施の形態に係る同期検出時のタイミングチャート
【図８】実施の形態に係る最大信号幅検出時のフローチャート
【図９】実施の形態に係る基準同期信号幅検出時のフローチャート
【図１０】実施の形態に係る同期検出時のフローチャート
【図１１】実施の形態に係る閾値レベルの設定方法を説明する図
【図１２】他の実施の形態に係る同期検出時のタイミングチャート
【図１３】他の実施の形態に係る同期検出時のフローチャート
【図１４】他の実施の形態に係る信号幅検出方法を説明する図
【符号の説明】
【００９２】
１１１  同期信号検出回路
１１  データスライス部
１２  信号幅検出部
１３  最大幅検出部
１４  同期信号幅設定部
１５  α設定部
１６  同期信号検出部
【図１】
2006252640.tif 000003
【図２】
2006252640.tif 000004
【図３】
2006252640.tif 000005
【図４】
2006252640.tif 000006
【図５】
2006252640.tif 000007
【図６】
2006252640.tif 000008
【図７】
2006252640.tif 000009
【図８】
2006252640.tif 000010
【図９】
2006252640.tif 000011
【図１０】
2006252640.tif 000012
【図１１】
2006252640.tif 000013
【図１２】
2006252640.tif 000014
【図１３】
2006252640.tif 000015
【図１４】
2006252640.tif 000016